(57)【要約】【課題】この発明は、メニュー画面を再生せずにタイトルのダイレクト再生を行なう機能を有することにより、ユーザの操作を容易化し取り扱いを便利にし得るようにした情報再生装置及び情報再生方法を提供することを目的としている。また、この発明は、上記機能を制御する情報を記録した情報記録媒体を提供することを目的としている。【解決手段】情報記録媒体１２を装着する装着手段１３と、装着手段１３に装着された情報記録媒体１２の管理情報に、タイトルを再生するためのメニュー画面を表示させる情報が含まれている場合、そのメニュー画面を表示させる情報を再生することなく、情報記録媒体１２から予め設定されたタイトルに対応した情報をダイレクト再生する再生制御手段２０とを備える。【選択図】    図１
2006338750.tif 000002
【特許請求の範囲】
【請求項１】
タイトルに対応した情報とその管理情報とが記録された情報記録媒体を再生する情報再生装置であって、
前記情報記録媒体を装着する装着手段と、
前記装着手段に装着された情報記録媒体の管理情報に、前記タイトルを再生するためのメニュー画面を表示させる情報が含まれている場合、そのメニュー画面を表示させる情報を再生することなく、前記情報記録媒体から予め設定されたタイトルに対応した情報をダイレクト再生する再生制御手段とを具備することを特徴とする情報再生装置。
【請求項２】
タイトルに対応した情報とその管理情報とが記録された情報記録媒体を再生する情報再生装置であって、
前記情報記録媒体を装着する装着手段と、
前記装着手段に装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定させるための設定手段と、
前記装着手段に装着された情報記録媒体の管理領域に、前記ダイレクト再生を許可する情報が含まれ、かつ、前記設定手段で前記ダイレクト再生を行なうことが設定されているとき、前記装着手段に装着された情報記録媒体に対してダイレクト再生を行なう再生制御手段とを具備することを特徴とする情報再生装置。
【請求項３】
タイトルに対応した情報とその管理情報とが記録された情報記録媒体を再生する情報再生装置であって、
前記情報記録媒体を装着する装着手段と、
前記装着手段に装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定させるための設定手段と、
前記設定手段で前記ダイレクト再生を行なうことが設定されているとき、前記装着手段に装着された情報記録媒体の管理情報に含まれるダイレクト再生を行なうタイトルを示す情報に基づいて、前記装着手段に装着された情報記録媒体に対してダイレクト再生を行なう再生制御手段とを具備することを特徴とする情報再生装置。
【請求項４】
タイトルに対応した情報とその管理情報とが記録された情報記録媒体を再生する情報再生装置であって、
前記情報記録媒体を装着する装着手段と、
前記装着手段に装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定させるための設定手段と、
前記装着手段に装着された情報記録媒体の管理領域に、前記ダイレクト再生を許可する情報が含まれ、かつ、前記設定手段で前記ダイレクト再生を行なうことが設定されているとき、前記装着手段に装着された情報記録媒体の管理情報に含まれるダイレクト再生を行なうタイトルを示す情報に基づいて、前記装着手段に装着された情報記録媒体に対してダイレクト再生を行なう再生制御手段とを具備することを特徴とする情報再生装置。
【請求項５】
タイトルに対応した情報とその管理情報とが記録された情報記録媒体を再生する情報再生方法であって、
前記情報記録媒体を装着する装着工程と、
前記装着工程で装着された情報記録媒体の管理情報に、前記タイトルを再生するためのメニュー画面を表示させる情報が含まれている場合、そのメニュー画面を表示させる情報を再生することなく、前記情報記録媒体から予め設定されたタイトルに対応した情報をダイレクト再生する再生制御工程とを具備することを特徴とする情報再生方法。
【請求項６】
タイトルに対応した情報とその管理情報とが記録された情報記録媒体を再生する情報再生方法であって、
前記情報記録媒体を装着する装着工程と、
前記装着工程で装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定する設定工程と、
前記装着工程で装着された情報記録媒体の管理領域に、前記ダイレクト再生を許可する情報が含まれ、かつ、前記設定工程で前記ダイレクト再生を行なうことが設定されているとき、前記装着工程で装着された情報記録媒体に対してダイレクト再生を行なう再生制御工程とを具備することを特徴とする情報再生方法。
【請求項７】
タイトルに対応した情報とその管理情報とが記録された情報記録媒体を再生する情報再生方法であって、
前記情報記録媒体を装着する装着工程と、
前記装着工程で装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定する設定工程と、
前記設定工程で前記ダイレクト再生を行なうことが設定されているとき、前記装着工程で装着された情報記録媒体の管理情報に含まれるダイレクト再生を行なうタイトルを示す情報に基づいて、前記装着工程で装着された情報記録媒体に対してダイレクト再生を行なう再生制御工程とを具備することを特徴とする情報再生方法。
【請求項８】
タイトルに対応した情報とその管理情報とが記録された情報記録媒体を再生する情報再生方法であって、
前記情報記録媒体を装着する装着工程と、
前記装着工程で装着された情報記録媒体の管理領域に、前記タイトルを再生するためのメニュー画面を表示させる情報が含まれている場合、そのメニュー画面を表示させる情報を再生することなく、前記情報記録媒体から予め設定されたタイトルに対応した情報のダイレクト再生を行なうか否かを設定する設定工程と、
前記装着工程で装着された情報記録媒体の管理領域に、前記ダイレクト再生を許可する情報が含まれ、かつ、前記設定工程で前記ダイレクト再生を行なうことが設定されているとき、前記装着工程で装着された情報記録媒体の管理情報に含まれるダイレクト再生を行なうタイトルを示す情報に基づいて、前記装着工程で装着された情報記録媒体に対してダイレクト再生を行なう再生制御工程とを具備することを特徴とする情報再生方法。
【請求項９】
タイトルに対応した情報と、前記タイトルを再生するためのメニュー画面を表示させる情報を含む管理情報とが記録され、情報再生装置に装着されて記録情報の再生が行なわれる情報記録媒体であって、
前記情報再生装置が、前記メニュー画面を表示させる情報を再生することなく、前記情報記録媒体から予め設定されたタイトルに対応した情報のダイレクト再生を行なうことを許可または禁止する情報を、前記管理情報に含むことを特徴とする情報記録媒体。
【発明の詳細な説明】
【技術分野】
【０００１】
この発明は、例えば光ディスク等の情報記録媒体を再生する情報再生装置及び情報再生方法の改良に関する。また、この発明は、情報再生装置での再生時にその再生機能を制御する情報を記録した情報記録媒体に関する。
【背景技術】
【０００２】
周知のように、現在では、情報記録媒体としてＤＶＤ（digital versatile disk）と称される光ディスクが普及している。そして、現行のＤＶＤ規格としては、例えば、読み出し専用のＤＶＤ−ＲＯＭ（read only memory）規格、追記型のＤＶＤ−Ｒ（recordable）規格、書き替え可能（１０００回程度）型のＤＶＤ−ＲＷ（rewritable）規格、書き替え可能（１００００回以上）型のＤＶＤ−ＲＡＭ（random access memory）規格等がある。
【０００３】
これらの規格には、いずれも、映像情報［ビデオデータ、副映像（サブピクチャ）データ、オーディオデータを総称したビデオオブジェクト］自体の光ディスク（情報記録媒体）上に記録されたデータ構造と、その映像情報を管理する管理データのデータ構造とを規定するフォーマット規格がある。
【０００４】
このうち、再生専用の現行ＤＶＤビデオ規格は、多数種類の言語に同時に対応し、マルチアングル・マルチストーリー等のマルチシーン表現が可能なばかりでなく、メニュー画面が充実しておりユーザが見たいシーンへの直接アクセスが容易である等、ユーザに使い易い映像コンテンツを提供できるフォーマットになっている
ところで、このようなＤＶＤビデオ規格に準拠した光ディスクの中には、例えばミュージッククリップの記録された光ディスク等のように、本編の再生を開始する際、まず、メニュー画面を表示させ、そのメニュー画面上でユーザが、例えば再生するタイトルを選択する等の所定の操作を行なわなければ、タイトルの再生を実行しないものが存在する。
【０００５】
一方、光ディスクを再生する光ディスク再生装置としては、光ディスクを再生して得られた上記映像情報を、外部接続されたディスプレイやスピーカに供給して映像表示や音声再生を行なうようにシステムが構築されている。この場合、ユーザは、ディスプレイを起動させなければ、光ディスクのオーディオコンテンツのみを聴取することが可能となる。
【０００６】
しかしながら、上記のように、再生に際してメニュー画面を表示させ所定の操作を必要とする光ディスクでは、オーディオコンテンツのみを聴取したい場合でも、一旦ディスプレイにメニュー画面を表示させて所定の操作を行なう必要が生じるため、ユーザにとって取り扱いが不便である。特に、視覚障害者には、深刻な問題となっている。
【０００７】
特許文献１には、光ディスクをローディングして再生するときに、オープニング画面やメニュー画面を表示することなく、光ディスクに記録された最初のタイトルに含まれる最初のチャプタから映像音声情報を再生することができるようにした光ディスク再生装置が開示されている。
【特許文献１】特開２００３−８７７４８号公報
【発明の開示】
【発明が解決しようとする課題】
【０００８】
そこで、この発明は上記事情を考慮してなされたもので、メニュー画面を再生せずにタイトルのダイレクト再生を行なう機能を有することにより、ユーザの操作を容易化し取り扱いを便利にし得るようにした情報再生装置及び情報再生方法を提供することを目的とする。また、この発明は、上記機能を制御する情報を記録した情報記録媒体を提供することを目的とする。
【課題を解決するための手段】
【０００９】
この発明に係る情報再生装置は、タイトルに対応した情報とその管理情報とが記録された情報記録媒体を再生するものを対象としている。そして、情報記録媒体を装着する装着手段と、装着手段に装着された情報記録媒体の管理情報に、タイトルを再生するためのメニュー画面を表示させる情報が含まれている場合、そのメニュー画面を表示させる情報を再生することなく、情報記録媒体から予め設定されたタイトルに対応した情報をダイレクト再生する再生制御手段とを備えるようにしたものである。
【００１０】
また、この発明に係る情報記録方法は、タイトルに対応した情報とその管理情報とが記録された情報記録媒体を再生する方法を対象としている。そして、情報記録媒体を装着する装着工程と、装着工程で装着された情報記録媒体の管理情報に、タイトルを再生するためのメニュー画面を表示させる情報が含まれている場合、そのメニュー画面を表示させる情報を再生することなく、情報記録媒体から予め設定されたタイトルに対応した情報をダイレクト再生する再生制御工程とを備えるようにしたものである。
【００１１】
さらに、この発明に係る情報記録媒体は、タイトルに対応した情報と、タイトルを再生するためのメニュー画面を表示させる情報を含む管理情報とが記録され、情報再生装置に装着されて記録情報の再生が行なわれるものを対象としている。そして、情報再生装置が、メニュー画面を表示させる情報を再生することなく、情報記録媒体から予め設定されたタイトルに対応した情報のダイレクト再生を行なうことを許可または禁止する情報を、管理情報に含むようにしたものである。
【発明の効果】
【００１２】
上記したような構成及び方法によれば、装着された情報記録媒体に対して、メニュー画面を再生せずに所定のタイトルのダイレクト再生を行なうようにしたので、ユーザの操作を容易化し取り扱いを便利にすることができるとともに、タイトルの再生開始までの時間を短縮することが可能となる。また、メニュー画面を使用しないため、視覚障害者に対しても取り扱いを便利にすることができる。
【発明を実施するための最良の形態】
【００１３】
以下、この発明の実施の形態について図面を参照して詳細に説明する。図１は、この実施の形態で説明する光ディスク再生装置１１を示している。図１において、符号１２は情報記録媒体としての光ディスクで、例えばＤＶＤ等を想定している。
【００１４】
この光ディスク１２には、少なくとも、タイトルに対応した情報（ビデオデータ及びこのビデオデータに同期して再生されるオーディオデータを含む）と、この情報を管理するための管理情報（タイトルを再生するためのメニュー画面を表示させる情報を含む）とが記録されている。
【００１５】
そして、上記光ディスク再生装置１１には、この光ディスク１２を着脱可能に装着する光ディスクドライブ部１３が設けられている。この光ディスクドライブ部１３は、装着された光ディスク１２からそこに記録されているデータを読み出し、該データに所定の信号復調処理及びエラー訂正処理等を施して出力している。
【００１６】
この光ディスクドライブ部１３から出力されたデータは、ストリームバッファ部１４によりバッファリングされた後、ストリームデコーダ部１５に供給される。このストリームデコーダ部１５は、入力されたストリームデータを、ビデオデータで構成されるビデオパック、副映像データで構成される副映像パック、オーディオデータで構成されるオーディオパックとの３種類に切り分ける。
【００１７】
その後、ストリームデコーダ部１５は、切り分けられた３種類のデータを、それぞれのデータに記録された転送時間とデータの種別を示すＩＤデータとを参照して、ビデオデコーダ部１６、副映像デコーダ部１７、オーディオデコーダ部１８に転送している。
【００１８】
このうち、ビデオデコーダ部１６は、ストリームデコーダ部１５から供給されたビデオデータにデコード処理を施し表示制御部１９に出力している。また、副映像デコーダ部１７は、ストリームデコーダ部１５から供給された副映像データにデコード処理を施し表示制御部１９に出力している。
【００１９】
この表示制御部１９は、ビデオデコーダ部１６及び副映像デコーダ部１７から供給された各デジタルデータをアナログ信号に変換し多重化している。また、この表示制御部１９は、後述するシステム制御部２０によって設定されるＯＳＤ（on screen display）信号も多重化するように構成されている。そして、表示制御部１９から出力される映像信号は、出力端子２１を介して外部のディスプレイ２２に供給されて映像表示に供される。
【００２０】
また、上記オーディオデコーダ部１８は、ストリームデコーダ部１５から供給されたオーディオデータにデコード処理を施し、Ｄ／Ａ（digital／analog）変換部２３に出力している。このＤ／Ａ変換部２３は、入力されたオーディオデータをアナログ信号に変換している。そして、Ｄ／Ａ変換部２３から出力されたオーディオ信号は、出力端子２４を介して外部のスピーカ２５に供給されて音声再生に供される。
【００２１】
ここで、この光ディスク再生装置１１は、上記した再生動作を含むその全ての動作を上記システム制御部２０によって統括的に制御している。このシステム制御部２０は、ＣＰＵ（central processing unit）等を内蔵しており、操作部２６からの操作情報、または、リモートコントローラ２７から送信された操作情報を受信部２８を介して受けることにより、その操作内容が反映されるように各部をそれぞれ制御している。
【００２２】
この場合、システム制御部２０は、メモリ部２９を利用している。このメモリ部２９は、主として、そのＣＰＵが実行する制御プログラムを格納したＲＯＭと、該ＣＰＵに作業エリアを提供するＲＡＭと、各種の設定情報及び制御情報等が格納される不揮発性メモリとを備えている。
【００２３】
図２は、上記リモートコントローラ２７の外観を示している。このリモートコントローラ２７には、主として、電源キー２７ａ、再生制御（早戻し、再生、早送り、停止、一時停止、コマ戻し、コマ送り等を含む）に関するキー群２７ｂ、数字キー２７ｃ、音量調整キー２７ｄ、メニューキー２７ｅ、戻るキー２７ｆ、カーソルキー２７ｇ、決定キー２７ｈ等が設けられている。
【００２４】
図３は、上記した光ディスク再生装置１１が光ディスク１２を再生する処理動作の第１の例を説明するためのフローチャートを示している。すなわち、処理が開始（ステップＳ３ａ）され、システム制御部２０が、ステップＳ３ｂで、光ディスク再生装置１１の電源がオン状態で、かつ、光ディスク１２が光ディスクドライブ部１３に装着されていることを検知すると、システム制御部２０は、ステップＳ３ｃで、メニュー画面を表示させることなく光ディスク１２から予め設定されたタイトルを直接再生する、つまり、ダイレクト再生を実行して、処理を終了（ステップＳ３ｄ）する。
【００２５】
この第１の例に示した再生動作によれば、光ディスクドライブ部１３に装着された光ディスク１２に対して、無条件にメニュー画面を再生せずに所定のタイトルのダイレクト再生を行なうようにしている。
【００２６】
これにより、ユーザの操作を容易化し取り扱いを便利にすることができるとともに、タイトルの再生開始までの時間を短縮することが可能となる。また、メニュー画面を使用せずにタイトルの再生が行なわれるため、視覚障害者に対しても取り扱いを便利にすることができる。
【００２７】
特に、映像出力端子のない光ディスク再生装置をオーディオプレーヤとしてメーカーが市販するような場合には、メニュー再生することに意味がなくなるので、強制的にダイレクト再生を行なうように設定することは効果的である。
【００２８】
次に、上記光ディスク再生装置１１が光ディスク１２を再生する処理動作の第２の例について説明する。この第２の例では、光ディスク再生装置１１のセットアップメニューの中に、図４に示すようなダイレクト再生モード（DIRECT_PLAY_MODE）を設定している。
【００２９】
このダイレクト再生モードは、ユーザによって、“０”に設定されたときダイレクト再生を行なわない通常モード（Normal Mode）となり、“1”に設定されたときダイレクト再生を行なうダイレクトモード（Direct Mode）となる。すなわち、ユーザが、ダイレクト再生を行なうか否かを選択設定することができるようになっている。
【００３０】
図５は、ユーザにダイレクト再生モードを選択設定させる処理動作例を説明するためのフローチャートを示している。この処理は、ユーザが、ダイレクト再生モードの選択設定を要求する操作を行なうことにより開始（ステップＳ５ａ）される。すると、システム制御部２０は、ステップＳ５ｂで、ディスプレイ２２にダイレクト再生モード設定画面を表示させる。
【００３１】
すなわち、ユーザがリモートコントローラ２７のメニューキー２７ｅを操作すると、システム制御部２０は、図６に示すように、各種の選択項目が配列されたメニュー画面をディスプレイ２２に表示させる。
【００３２】
そして、ユーザが、このメニュー画面に表示された各種の項目の中から、「ダイレクト再生モード」の項目をカーソルキー２７ｇで選択し、決定キー２７ｈを操作すると、システム制御部２０は、図７に示すように、ダイレクト再生モード設定画面をディスプレイ２２に表示させる。
【００３３】
このダイレクト再生モード設定画面では、「通常モード（Normal Mode）」と「ダイレクトモード（Direct Mode）」との２つの項目が表示されており、ユーザが、カーソルキー２７ｇを操作していずれかの項目を選択し、決定キー２７ｈを操作することで設定が行なわれる。その後、システム制御部２０は、ステップＳ５ｃで、ダイレクト再生モードの設定内容を上記メモリ部２９の不揮発性メモリに保存して、処理を終了（ステップＳ５ｄ）する。
【００３４】
図８は、光ディスク再生装置１１がダイレクト再生モードの設定内容に応じて、光ディスク１２を再生する処理動作を説明するためのフローチャートを示している。すなわち、処理が開始（ステップＳ８ａ）され、システム制御部２０が、ステップＳ８ｂで、光ディスク再生装置１１の電源がオン状態で、かつ、光ディスク１２が光ディスクドライブ部１３に装着されていることを検知すると、システム制御部２０は、ステップＳ８ｃで、メモリ部２９の不揮発性メモリに記録されているダイレクト再生モードの設定内容を読み出して、通常モードに設定されているかダイレクトモードに設定されているかを判別する。
【００３５】
そして、通常モードに設定されていると判断された場合、上記システム制御部２０は、ステップＳ８ｄで、光ディスク１２に記録されている管理情報［ビデオマネージャ情報（VMGI）、ビデオタイトルセット情報（VTSI）等］を読み出し、その中に、メニュー［ビデオマネージャメニュー＿ビデオオブジェクト（VMGM_VOB）、ビデオタイトルセットメニュー＿ビデオオブジェクト（VTSM_VOB）］が存在するか否かを判別する。
【００３６】
ここで、メニューが存在すると判断された場合（ＹＥＳ）、システム制御部２０は、ステップＳ８ｅで、そのメニューを再生しディスプレイ２２にメニュー画面を表示させる。その後、システム制御部２０は、ステップＳ８ｆで、上記メニュー画面上で選択されたタイトルを再生して、処理を終了（ステップＳ８ｇ）する。
【００３７】
また、上記ステップＳ８ｃでダイレクトモードに設定されていると判断された場合、または、上記ステップＳ８ｄでメニューが存在しないと判断された場合（ＮＯ）、システム制御部２０は、メニュー画面を表示させることなく、ステップＳ８ｆで、光ディスク１２から予め設定されたタイトルを再生して、処理を終了（ステップＳ８ｇ）する。
【００３８】
この第２の例に示した再生動作によれば、光ディスク再生装置１１のセットアップメニューの中にダイレクト再生モードを設定し、装着された光ディスク１２に対してダイレクト再生を行なうか否かをユーザが選択設定できるようにしたので、ユーザにとっての利便性をより高めることができる。
【００３９】
次に、上記光ディスク再生装置１１が光ディスク１２を再生する処理動作の第３の例について説明する。この第３の例では、光ディスク１２内の上記管理情報が記録される記録領域の中に、図９に示すようなダイレクト再生の可否を示すダイレクト再生フラグ（DIRECT_PLAY_FLAG）を設定している。
【００４０】
このダイレクト再生フラグは、ユーザによって、“０”に設定されたときダイレクト再生を禁止するモードとなり、“1”に設定されたときダイレクト再生を許可するモードとなる。すなわち、光ディスク１２の提供者側が、ユーザにダイレクト再生を行なわせても良いか否かを制御することができるようになっている。
【００４１】
このダイレクト再生フラグは、ＤＶＤビデオ規格に準拠した光ディスク１２の場合、ビデオマネージャ情報（VMGI）に含まれる。そして、このダイレクト再生フラグは、光ディスク１２が光ディスクドライブ部１３に装着され、かつ、光ディスク再生装置１１の電源がオン状態のとき、自動的に読み取られる。
【００４２】
図１０は、光ディスク再生装置１１がダイレクト再生フラグ及びダイレクト再生モードの設定内容に応じて、光ディスク１２を再生する処理動作を説明するためのフローチャートを示している。
【００４３】
すなわち、処理が開始（ステップＳ１０ａ）され、システム制御部２０が、ステップＳ１０ｂで、光ディスク再生装置１１の電源がオン状態で、かつ、光ディスク１２が光ディスクドライブ部１３に装着されていることを検知すると、システム制御部２０は、ステップＳ１０ｃで、光ディスク１２に記録されているダイレクト再生フラグを読み取り、ステップＳ１０ｄで、ダイレクト再生が禁止であるか許可されているかを判別する。
【００４４】
そして、ダイレクト再生が許可されていると判断された場合、システム制御部２０は、ステップＳ１０ｅで、メモリ部２９の不揮発性メモリに記録されているダイレクト再生モードの設定内容を読み取り、通常モードに設定されているかダイレクトモードに設定されているかを判別する。
【００４５】
そして、通常モードに設定されていると判断された場合、または、上記ステップＳ１０ｄでダイレクト再生が禁止されていると判断された場合、システム制御部２０は、ステップＳ１０ｆで、光ディスク１２に記録されている管理情報［ビデオマネージャ情報（VMGI）、ビデオタイトルセット情報（VTSI）等］を読み出し、その中に、メニュー［ビデオマネージャメニュー＿ビデオオブジェクト（VMGM_VOB）、ビデオタイトルセットメニュー＿ビデオオブジェクト（VTSM_VOB）］が存在するか否かを判別する。
【００４６】
ここで、メニューが存在すると判断された場合（ＹＥＳ）、システム制御部２０は、ステップＳ１０ｇで、そのメニューを再生しディスプレイ２２にメニュー画面を表示させる。その後、システム制御部２０は、ステップＳ１０ｈで、上記メニュー画面上で選択されたタイトルを再生して、処理を終了（ステップＳ１０ｉ）する。
【００４７】
また、上記ステップＳ１０ｅでダイレクトモードに設定されていると判断された場合、または、上記ステップＳ１０ｆでメニューが存在しないと判断された場合（ＮＯ）、システム制御部２０は、メニュー画面を表示させることなく、ステップＳ１０ｈで、光ディスク１２から予め設定されたタイトルを再生して、処理を終了（ステップＳ１０ｉ）する。
【００４８】
この第３の例に示した再生動作によれば、光ディスク１２内の管理情報が記録される記録領域にダイレクト再生の可否を示すダイレクト再生フラグを設定して、光ディスク１２の提供者側がユーザにダイレクト再生を行なわせても良いか否かを制御することができるようにしたので、実用的な運用を図ることが可能となる。
【００４９】
次に、上記光ディスク再生装置１１が光ディスク１２を再生する処理動作の第４の例について説明する。この第４の例では、光ディスク１２内の上記管理情報が記録される記録領域の中に、ダイレクト再生時に再生すべきタイトルを示すダイレクト再生プログラムチェーン（DIRECT_PLAY_PGC）を設定している。このダイレクト再生プログラムチェーンは、現行のＤＶＤビデオ規格に存在するファーストプレイＰＧＣ（FP_PGC）と同一構造を持つものとする。
【００５０】
図１１は、光ディスク再生装置１１がダイレクト再生モード及びダイレクト再生プログラムチェーンの設定内容に応じて、光ディスク１２を再生する処理動作を説明するためのフローチャートを示している。
【００５１】
すなわち、処理が開始（ステップＳ１１ａ）され、システム制御部２０が、ステップＳ１１ｂで、光ディスク再生装置１１の電源がオン状態で、かつ、光ディスク１２が光ディスクドライブ部１３に装着されていることを検知すると、システム制御部２０は、ステップＳ１１ｃで、メモリ部２９の不揮発性メモリに記録されているダイレクト再生モードの設定内容を読み出して、通常モードに設定されているかダイレクトモードに設定されているかを判別する。
【００５２】
そして、通常モードに設定されていると判断された場合、上記システム制御部２０は、ステップＳ１１ｄで、光ディスク１２に記録されている管理情報［ビデオマネージャ情報（VMGI）、ビデオタイトルセット情報（VTSI）等］を読み出し、その中に、メニュー［ビデオマネージャメニュー＿ビデオオブジェクト（VMGM_VOB）、ビデオタイトルセットメニュー＿ビデオオブジェクト（VTSM_VOB）］が存在するか否かを判別する。
【００５３】
ここで、メニューが存在すると判断された場合（ＹＥＳ）、システム制御部２０は、ステップＳ１１ｅで、そのメニューを再生しディスプレイ２２にメニュー画面を表示させる。その後、システム制御部２０は、ステップＳ１１ｆで、上記メニュー画面上で選択されたタイトルを再生して、処理を終了（ステップＳ１１ｇ）する。
【００５４】
また、上記ステップＳ１１ｃでダイレクトモードに設定されていると判断された場合、システム制御部２０は、ステップＳ１１ｈで、光ディスク１２からダイレクト再生プログラムチェーンを読み取り、ステップＳ１１ｆで、ダイレクト再生プログラムチェーンに示されたタイトルを再生して、処理を終了（ステップＳ１１ｇ）する。
【００５５】
さらに、上記ステップＳ１１ｄでメニューが存在しないと判断された場合（ＮＯ）、システム制御部２０は、メニュー画面を表示させることなく、ステップＳ１１ｆで、光ディスク１２から予め設定されたタイトルを再生して、処理を終了（ステップＳ１１ｇ）する。
【００５６】
この第４の例に示した再生動作によれば、装着された光ディスク１２に対してダイレクト再生を行なう際に、再生すべきタイトルを示すダイレクト再生プログラムチェーンを設定するようにしたので、ユーザにとっての利便性をより高めることができる。
【００５７】
次に、上記光ディスク再生装置１１が光ディスク１２を再生する処理動作の第５の例について説明する。図１２は、光ディスク再生装置１１がダイレクト再生フラグ、ダイレクト再生モード及びダイレクト再生プログラムチェーンの設定内容に応じて、光ディスク１２を再生する処理動作を説明するためのフローチャートを示している。
【００５８】
すなわち、処理が開始（ステップＳ１２ａ）され、システム制御部２０が、ステップＳ１２ｂで、光ディスク再生装置１１の電源がオン状態で、かつ、光ディスク１２が光ディスクドライブ部１３に装着されていることを検知すると、システム制御部２０は、ステップＳ１２ｃで、光ディスク１２に記録されているダイレクト再生フラグを読み取り、ステップＳ１２ｄで、ダイレクト再生が禁止であるか許可されているかを判別する。
【００５９】
そして、ダイレクト再生が許可されていると判断された場合、システム制御部２０は、ステップＳ１２ｅで、メモリ部２９の不揮発性メモリに記録されているダイレクト再生モードの設定内容を読み出して、通常モードに設定されているかダイレクトモードに設定されているかを判別する。
【００６０】
そして、通常モードに設定されていると判断された場合、または、上記ステップＳ１２ｄでダイレクト再生が禁止されていると判断された場合、システム制御部２０は、ステップＳ１２ｆで、光ディスク１２に記録されている管理情報［ビデオマネージャ情報（VMGI）、ビデオタイトルセット情報（VTSI）等］を読み出し、その中に、メニュー［ビデオマネージャメニュー＿ビデオオブジェクト（VMGM_VOB）、ビデオタイトルセットメニュー＿ビデオオブジェクト（VTSM_VOB）］が存在するか否かを判別する。
【００６１】
ここで、メニューが存在すると判断された場合（ＹＥＳ）、システム制御部２０は、ステップＳ１２ｇで、そのメニューを再生しディスプレイ２２にメニュー画面を表示させる。その後、システム制御部２０は、ステップＳ１２ｈで、上記メニュー画面上で選択されたタイトルを再生して、処理を終了（ステップＳ１２ｉ）する。
【００６２】
また、上記ステップＳ１２ｅでダイレクトモードに設定されていると判断された場合、システム制御部２０は、ステップＳ１２ｊで、光ディスク１２からダイレクト再生プログラムチェーンを読み取り、ステップＳ１２ｈで、ダイレクト再生プログラムチェーンに示されたタイトルを再生して、処理を終了（ステップＳ１２ｉ）する。
【００６３】
さらに、上記ステップＳ１２ｆでメニューが存在しないと判断された場合（ＮＯ）、システム制御部２０は、メニュー画面を表示させることなく、ステップＳ１２ｈで、光ディスク１２から予め設定されたタイトルを再生して、処理を終了（ステップＳ１２ｉ）する。
【００６４】
この第５の例に示した再生動作によれば、装着された光ディスク１２に対して、ダイレクト再生フラグ、ダイレクト再生モード及びダイレクト再生プログラムチェーンの設定内容に基づいて再生を行なうようにしたので、ユーザにとっての利便性をより高めることができるとともに、実用的な運用を図ることが可能となる。
【００６５】
ここで、上記した第４及び第５の例では、ダイレクト再生時に再生されるタイトルが、ダイレクト再生プログラムチェーンによって予め設定されるようにしたが、ダイレクト再生時に再生されるタイトルをユーザが設定できるようにすることも可能である。
【００６６】
すなわち、ユーザがリモートコントローラ２７のメニューキー２７ｅを操作して、図６に示したようにメニュー画面をディスプレイ２２に表示させる。このメニュー画面に表示された各種の項目の中から、ユーザが、「タイトル設定」の項目をカーソルキー２７ｇで選択し、決定キー２７ｈを操作すると、図１３に示すように、タイトル設定画面がディスプレイ２２に表示される。そして、このタイトル設定画面で、再生すべきタイトルを再生順に順次設定していくことにより、ユーザの設定したタイトルのダイレクト再生を行なうことが可能となる。
【００６７】
また、上記した実施の形態では、情報記録媒体として光ディスク１２を例にしたが、これに限られるものではなく、例えば、半導体メモリ、テープ、ハードディスク等、種々の情報記録媒体を再生する装置に対して、この発明を適用することができることはもちろんである。
【００６８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６９】
【図１】この発明の実施の形態を示すもので、光ディスク再生装置を説明するために示すブロック構成図。
【図２】同実施の形態における光ディスク再生装置のリモートコントローラを説明するために示す外観図。
【図３】同実施の形態における光ディスク再生装置が光ディスクを再生する処理動作の第１の例を説明するために示すフローチャート。
【図４】同実施の形態における光ディスク再生装置がセットアップメニューとして有するダイレクト再生モードを説明するために示す図。
【図５】同実施の形態における光ディスク再生装置にダイレクト再生モードを設定する処理動作の一例を説明するために示すフローチャート。
【図６】同実施の形態における光ディスク再生装置にダイレクト再生モードを設定する処理動作時に表示されるメニュー画面の一例を説明するために示す図。
【図７】同実施の形態における光ディスク再生装置にダイレクト再生モードを設定する処理動作時に表示されるメニュー画面の他の例を説明するために示す図。
【図８】同実施の形態における光ディスク再生装置が光ディスクを再生する処理動作の第２の例を説明するために示すフローチャート。
【図９】同実施の形態における光ディスク再生装置が再生する光ディスクに記録されたダイレクト再生フラグを説明するために示す図。
【図１０】同実施の形態における光ディスク再生装置が光ディスクを再生する処理動作の第３の例を説明するために示すフローチャート。
【図１１】同実施の形態における光ディスク再生装置が光ディスクを再生する処理動作の第４の例を説明するために示すフローチャート。
【図１２】同実施の形態における光ディスク再生装置が光ディスクを再生する処理動作の第５の例を説明するために示すフローチャート。
【図１３】同実施の形態における光ディスク再生装置がダイレクト再生時に再生するタイトルをユーザが設定するための画面の一例を説明するために示す図。
【符号の説明】
【００７０】
１１…光ディスク再生装置、１２…光ディスク、１３…光ディスクドライブ部、１４…ストリームバッファ部、１５…ストリームデコーダ部、１６…ビデオデコーダ部、１７…副映像デコーダ部、１８…オーディオデコーダ部、１９…表示制御部、２０…システム制御部、２１…出力端子、２２…ディスプレイ、２３…Ｄ／Ａ変換部、２４…出力端子、２５…スピーカ、２６…操作部、２７…リモートコントローラ、２８…受信部、２９…メモリ部。
【図１】
2006338750.tif 000003
【図２】
2006338750.tif 000004
【図３】
2006338750.tif 000005
【図４】
2006338750.tif 000006
【図５】
2006338750.tif 000007
【図６】
2006338750.tif 000008
【図７】
2006338750.tif 000009
【図８】
2006338750.tif 000010
【図９】
2006338750.tif 000011
【図１０】
2006338750.tif 000012
【図１１】
2006338750.tif 000013
【図１２】
2006338750.tif 000014
【図１３】
2006338750.tif 000015